(57)【特許請求の範囲】
【請求項１】
筆記要素と、
先端部において前記筆記要素を突出状態に保持する略円筒状の軸筒部材と、
前記筆記要素を覆うように前記軸筒部材の前記先端部に嵌合可能なキャップ部材と、
を備え、
前記軸筒部材の前記先端部には、アライメント用凸部が形成されており、
前記キャップ部材は、前記アライメント用凸部と嵌合するアライメント用凹部を有している
というキャップ部材付き筆記具であって、
前記アライメント用凸部は、周方向に見て一方の半部において、軸線方向に垂直な断面の形状が先端または先端近傍において最大であるのに対し、周方向に見て他方の半部において、軸線方向に垂直な断面の形状が先端または先端近傍よりも後方側において大きい箇所があり、
前記アライメント用凹部は、周方向に見て一方の半部において、前記アライメント用凸部の前記一方の半部に対応する形状を有しており、周方向に見て他方の半部において、前記アライメント用凸部の前記他方の半部に対応する形状を有しており、
前記キャップ部材の一方の半部の形状と他方の半部の形状とは、前記筆記要素に対して非対称となっている
ことを特徴とするキャップ部材付き筆記具。
【請求項２】
筆記要素と、
先端部において前記筆記要素を突出状態に保持する軸筒部材と、
前記筆記要素を覆うように前記軸筒部材の前記先端部に嵌合可能なキャップ部材と、
を備え、
前記軸筒部材の前記先端部には、アライメント用凸部が形成されており、
前記キャップ部材は、前記アライメント用凸部と嵌合するアライメント用凹部を有している
というキャップ部材付き筆記具であって、
前記アライメント用凸部は、周方向に見て一方の半部において、軸線方向に垂直な断面の形状が先端または先端近傍よりも後方側において大きい箇所を有する回転対称体を二分割した一方の形状を有しており、周方向に見て他方の半部において、後方側において前記回転対称体を二分割した一方の形状よりも大きい箇所があり、
前記アライメント用凹部は、周方向に見て一方の半部において、前記アライメント用凸部の前記一方の半部に対応する形状を有しており、周方向に見て他方の半部において、前記アライメント用凸部の前記他方の半部に対応する形状を有しており、
前記キャップ部材の一方の半部の形状と他方の半部の形状とは、前記筆記要素に対して非対称となっている
ことを特徴とするキャップ部材付き筆記具。
【請求項３】
前記アライメント用凸部の前記他方の半部は、少なくとも一部領域において、軸線方向に見て前記先端から後方側へと登り上がる傾斜領域を有しており、
前記傾斜領域は、前記アライメント用凸部の前記一方の半部の周方向の両側からも滑らかに登り上がっている
ことを特徴とする請求項１または２に記載のキャップ部材付き筆記具。
【請求項４】
前記アライメント用凸部の前記他方の半部には、一部領域において、肉盗み部が設けられている
ことを特徴とする請求項３に記載のキャップ部材付き筆記具。
【請求項５】
筆記要素と、
先端部において前記筆記要素を突出状態に保持する軸筒部材と、
前記筆記要素を覆うように前記軸筒部材の前記先端部に嵌合可能なキャップ部材と、
を備え、
前記軸筒部材の前記先端部には、アライメント用凸部が形成されており、
前記キャップ部材は、前記アライメント用凸部と嵌合するアライメント用凹部を有している
というキャップ部材付き筆記具であって、
前記アライメント用凸部は、周方向に見て一方の半部において、軸線方向に垂直な断面の形状が先端または先端近傍において最大であるのに対し、周方向に見て他方の半部において、軸線方向に垂直な断面の形状が先端または先端近傍よりも後方側において大きい箇所があり、
前記アライメント用凹部は、周方向に見て一方の半部において、前記アライメント用凸部の前記一方の半部に対応する形状を有しており、周方向に見て他方の半部において、前記アライメント用凸部の前記他方の半部に対応する形状を有しており、
前記キャップ部材の一方の半部の形状と他方の半部の形状とは、前記筆記要素に対して非対称となっており、
前記アライメント用凸部の前記他方の半部は、少なくとも一部領域において、軸線方向に見て前記先端から後方側へと登り上がる傾斜領域を有しており、
前記傾斜領域は、前記アライメント用凸部の前記一方の半部の周方向の両側からも滑らかに登り上がっており、
前記アライメント用凸部の前記他方の半部には、一部領域において、肉盗み部が設けられている
ことを特徴とするキャップ部材付き筆記具。
【請求項６】
前記アライメント用凸部の前記一方の半部は、前記軸線方向に沿って、筒型形状を有している
ことを特徴とする請求項３乃至５のいずれかに記載のキャップ部材付き筆記具。
【請求項７】
前記アライメント用凸部の前記一方の半部は、９〜１３ｍｍの範囲から選択される断面直径を有する円筒形状を二分割した形状を有しており、
前記アライメント用凸部の前記傾斜領域の頂上は、前記円筒形状の軸線から当該円筒形状の半径の１．２〜１．５倍だけ離れた位置にある
ことを特徴とする請求項６に記載のキャップ部材付き筆記具。
【請求項８】
前記筆記要素は、インキを用いるペン先であり、
前記軸筒部材及び前記キャップ部材の少なくとも一方には、前記軸筒部材とキャップ部材との間の気密を維持するための気密構造が設けられている
ことを特徴とする請求項１乃至７のいずれかに記載のキャップ部材付き筆記具。
【発明の詳細な説明】
【技術分野】
【０００１】
本発明は、筆記要素と、先端部において前記筆記要素を突出状態に保持する軸筒部材と、前記筆記要素を覆うように前記軸筒部材の前記先端部に嵌合可能なキャップ部材と、を備えたキャップ部材付き筆記具に関している。
【背景技術】
【０００２】
キャップ部材付き筆記具は、従来より様々なタイプの製品が開発されている。キャップ部材の形状は、一般的には略円筒形状であって、軸筒部材に対して周方向のアライメントを気にすることなく着脱できるものが多い。
本件発明者は、キャップ部材付き筆記具の意匠性（装飾性）を高めるため、軸筒部材に対するキャップ部材の周方向位置を限定することについて、鋭意検討を重ねてきた。
【０００３】
従来のようにキャップ部材の周方向位置がフリーの製品では、軸筒部材の装飾絵柄とキャップ部材の装飾絵柄とに連続性をもたせても、その効果は、使用者が意図的にアライメント操作を行った場合にのみ発揮されるに留まっていた。
これに対して、軸筒部材に嵌合される際のキャップ部材の周方向を所定方向に限定すれば、軸筒部材の装飾絵柄とキャップ部材の装飾絵柄とを連続的にする効果を、常時使用者に印象付けることができる。
【０００４】
軸筒部材に嵌合される際のキャップ部材の周方向を所定方向に限定した従来技術として、特許文献１に記載された筆記具がある。特許文献１の図１及び図２を、図１１及び図１２として引用する。
当該製品においては、キャップ部材の断面が長円状であり、対応する軸筒部材の断面も長円状であり、両者のアライメントを意識しなければ、キャップ部材を軸筒部材に嵌合することができない。
【先行技術文献】
【特許文献】
【０００５】
【特許文献１】実公平２−１３１９４号公報
【発明の概要】
【発明が解決しようとする課題】
【０００６】
特許文献１に記載された筆記具では、形状に対称性があるため、長円状の断面についての長手方向を反転させた姿勢でも、キャップ部材を軸筒部材に嵌合することができる。すなわち、特許文献１に記載された筆記具では、キャップ部材を軸筒部材に嵌合することができる姿勢状態について、２通り（表と裏）が存在する。
デザインによっては、２通りの姿勢状態のそれぞれについて、軸筒部材の装飾絵柄とキャップ部材の装飾絵柄とに連続性をもたせることが有効ではある。しかしながら、キャップ部材嵌合時の姿勢状態が１通りに限定されるのであれば、軸筒部材の装飾絵柄とキャップ部材の装飾絵柄とに連続性をもたせるデザインの幅は著しく広がる。
【０００７】
そこで、本件発明者は、特許文献１の構造体において、軸筒部材とキャップ部材との対応し合う箇所にアライメント用の凹凸構造を設けることで、キャップ部材嵌合時の姿勢状態を１通りに限定することを検討した。この方策は、キャップ部材嵌合時の姿勢状態を１通りにするという要件は満たすものの、依然として外観形状に対称性があるため、凹凸構造が合致しない姿勢での嵌合を使用者が試みてしまう可能性があり、製品としての魅力に欠けることが知見された。
【０００８】
本発明は、以上のような知見に鑑みてなされたもので、その目的とするところは、キャップ部材嵌合時の姿勢状態が１通りであって、且つ、キャップ部材の形状が非対称であるキャップ部材付き筆記具を提供することである。
【課題を解決するための手段】
【０００９】
本発明は、筆記要素と、先端部において前記筆記要素を突出状態に保持する略円筒状の軸筒部材と、前記筆記要素を覆うように前記軸筒部材の前記先端部に嵌合可能なキャップ部材と、を備え、前記軸筒部材の前記先端部には、アライメント用凸部が形成されており、前記キャップ部材は、前記アライメント用凸部と嵌合するアライメント用凹部を有しているというキャップ部材付き筆記具であって、前記アライメント用凸部は、周方向に見て一方の半部において、軸線方向に垂直な断面の形状が先端または先端近傍において最大であるのに対し、周方向に見て他方の半部において、軸線方向に垂直な断面の形状が先端または先端近傍よりも後方側において大きい箇所があり、前記アライメント用凹部は、周方向に見て一方の半部において、前記アライメント用凸部の前記一方の半部に対応する形状を有しており、周方向に見て他方の半部において、前記アライメント用凸部の前記他方の半部に対応する形状を有しており、前記キャップ部材の一方の半部の形状と他方の半部の形状とは、前記筆記要素に対して非対称となっていることを特徴とするキャップ部材付き筆記具である。
本発明によれば、略円筒状の軸筒部材側のアライメント用凸部が、周方向に見て一方の半部と他方の半部とで形状が異なっており、これに対応して、キャップ部材側のアライメント用凹部も、周方向に見て一方の半部と他方の半部とで形状が異なっているため、キャップ部材嵌合時の姿勢状態は１通りであるし、キャップ部材の形状も非対称となっている。従って、成功しない姿勢での嵌合を使用者が試みてしまう可能性が排除され、製品としての魅力が顕著に高い。
【００１０】
あるいは、本発明は、筆記要素と、先端部において前記筆記要素を突出状態に保持する軸筒部材と、前記筆記要素を覆うように前記軸筒部材の前記先端部に嵌合可能なキャップ部材と、を備え、前記軸筒部材の前記先端部には、アライメント用凸部が形成されており、前記キャップ部材は、前記アライメント用凸部と嵌合するアライメント用凹部を有しているというキャップ部材付き筆記具であって、前記アライメント用凸部は、周方向に見て一方の半部において、軸線方向に垂直な断面の形状が先端または先端近傍よりも後方側において大きい箇所を有する回転対称体を二分割した一方の形状を有しており、周方向に見て他方の半部において、後方側において前記回転対称体を二分割した一方の形状よりも大きい箇所があり、前記アライメント用凹部は、周方向に見て一方の半部において、前記アライメント用凸部の前記一方の半部に対応する形状を有しており、周方向に見て他方の半部において、前記アライメント用凸部の前記他方の半部に対応する形状を有しており、前記キャップ部材の一方の半部の形状と他方の半部の形状とは、前記筆記要素に対して非対称となっていることを特徴とするキャップ部材付き筆記具である。
本発明によれば、軸筒部材側のアライメント用凸部が、周方向に見て一方の半部と他方の半部とで形状が異なっており、これに対応して、キャップ部材側のアライメント用凹部も、周方向に見て一方の半部と他方の半部とで形状が異なっているため、キャップ部材嵌合時の姿勢状態は１通りであるし、キャップ部材の形状も非対称となっている。従って、成功しない姿勢での嵌合を使用者が試みてしまう可能性が排除され、製品としての魅力が顕著に高い。
【００１１】
以上の各発明において、より具体的には、好ましくは、前記アライメント用凸部の前記他方の半部は、少なくとも一部領域において、軸線方向に見て前記先端から後方側へと登り上がる傾斜領域を有しており、前記傾斜領域は、前記アライメント用凸部の前記一方の半部の周方向の両側からも滑らかに登り上がっている。
このような形態が採用される場合、キャップ部材を周方向いずれの側にツイストしても、当該キャップ部材は、前記傾斜領域の存在によって、滑らかに前方側に押し出されるように軸筒部材から離脱できる。
前記アライメント用凸部の前記他方の半部には、部品の射出成形時の「ひけ」を防止するという観点から、及び／または、デザイン上の理由（美観上の理由）から、一部領域において、肉盗み部が設けられることが好ましい。肉盗み部は、例えば１〜２個のスリット状切込部として設けられ得る。  前記アライメント用凸部の前記他方の半部には、部品の射出成形時の「ひけ」を防止するという観点から、及び／または、デザイン上の理由（美観上の理由）から、一部領域において、肉盗み部が設けられることが好ましい。肉盗み部は、例えば１〜２個のスリット状切込部として設けられ得る。
あるいは、本発明は、筆記要素と、先端部において前記筆記要素を突出状態に保持する軸筒部材と、前記筆記要素を覆うように前記軸筒部材の前記先端部に嵌合可能なキャップ部材と、を備え、前記軸筒部材の前記先端部には、アライメント用凸部が形成されており、前記キャップ部材は、前記アライメント用凸部と嵌合するアライメント用凹部を有しているというキャップ部材付き筆記具であって、前記アライメント用凸部は、周方向に見て一方の半部において、軸線方向に垂直な断面の形状が先端または先端近傍において最大であるのに対し、周方向に見て他方の半部において、軸線方向に垂直な断面の形状が先端または先端近傍よりも後方側において大きい箇所があり、前記アライメント用凹部は、周方向に見て一方の半部において、前記アライメント用凸部の前記一方の半部に対応する形状を有しており、周方向に見て他方の半部において、前記アライメント用凸部の前記他方の半部に対応する形状を有しており、前記キャップ部材の一方の半部の形状と他方の半部の形状とは、前記筆記要素に対して非対称となっており、前記アライメント用凸部の前記他方の半部は、少なくとも一部領域において、軸線方向に見て前記先端から後方側へと登り上がる傾斜領域を有しており、前記傾斜領域は、前記アライメント用凸部の前記一方の半部の周方向の両側からも滑らかに登り上がっており、前記アライメント用凸部の前記他方の半部には、一部領域において、肉盗み部が設けられていることを特徴とするキャップ部材付き筆記具である。肉盗み部が設けられることは、部品の射出成形時の「ひけ」を防止するという観点から、及び／または、デザイン上の理由（美観上の理由）から、好ましい。肉盗み部は、例えば１〜２個のスリット状切込部として設けられ得る。

【００１２】
以上の各発明において、前記アライメント用凸部の前記一方の半部の方は、従来の一般的製品から変更の必要がなく、例えば前記軸線方向に沿って筒型形状に構成され得る。
【００１３】
本件発明者による様々な試作品評価の結果、具体的な好ましい寸法例として、アライメント用凸部の一方の半部は、９〜１３ｍｍの範囲から選択される断面直径を有する円筒形状を二分割した形状を有していて、アライメント用凸部の傾斜領域の頂上が当該円筒形状の軸線から当該円筒形状の半径の１．２〜１．５倍だけ離れた位置にあるとき、十分な嵌合機能を発揮できることが確認されている。
【００１４】
なお、筆記要素については、本件出願時においては特に限定されず、鉛筆の類を含むことが排除されないが、インキを用いるペン先であることが一般的である。後者の場合、軸筒部材及びキャップ部材の少なくとも一方に、軸筒部材とキャップ部材との間の気密を維持するための気密構造が設けられることが一般的である。
【発明の効果】
【００１５】
本発明によれば、軸筒部材側のアライメント用凸部が、周方向に見て一方の半部と他方の半部とで形状が異なっており、これに対応して、キャップ部材側のアライメント用凹部も、周方向に見て一方の半部と他方の半部とで形状が異なっているため、キャップ部材嵌合時の姿勢状態は１通りであるし、キャップ部材の形状も非対称となっている。従って、成功しない姿勢での嵌合を使用者が試みてしまう可能性が排除され、製品としての魅力が顕著に高い。
【図面の簡単な説明】
【００１６】
【図１】本発明の一実施の形態におけるキャップ部材付き筆記具の斜視図であって、キャップ部材嵌合時を示す図である。
【図２】本実施の形態のキャップ部材付き筆記具の斜視図であって、キャップ部材離脱時を示す図である。
【図３】本実施の形態のキャップ部材付き筆記具の軸筒部材の先端部とキャップ部材との拡大斜視図である。
【図４】本実施の形態のキャップ部材付き筆記具の軸筒部材の先端部とキャップ部材との断面図であって、キャップ部材嵌合時を示す図である。
【図５】本実施の形態のキャップ部材付き筆記具の軸筒部材の先端部とキャップ部材との断面図であって、キャップ部材離脱時を示す図である。
【図６】本実施の形態のキャップ部材付き筆記具の軸筒部材の詳細図である。
【図７】本実施の形態のキャップ部材付き筆記具のキャップ部材の詳細図である。
【図８】本発明の他の実施の形態のキャップ部材付き筆記具の軸筒部材の先端部の拡大斜視図である。
【図９】図８の軸筒部材の先端部の側面図である。
【図１０】テーパ面の変形例を説明するための概略図である。
【図１１】キャップ部材の従来例を示す概略断面図（特許文献１の図１）。
【図１２】軸筒部材の従来例を示す概略断面図（特許文献１の図２）。
【発明を実施するための形態】
【００１７】
以下、図面を参照して本発明の一実施の形態について説明する。
図１及び図２は、本発明の一実施の形態におけるキャップ部材付き筆記具の斜視図である。図１は、キャップ部材嵌合時を示しており、図２は、キャップ部材離脱時を示している。図３は、本実施の形態のキャップ部材付き筆記具の軸筒部材の先端部とキャップ部材との拡大斜視図であり、図４及び図５は、当該軸筒部材の先端部とキャップ部材との断面図であって、図４は、キャップ部材嵌合時を示しており、図５は、キャップ部材離脱時を示している。
図６は、本実施の形態の軸筒部材の詳細図であり、図６（ａ）が上面図であり、図６（ｂ）が側面図であり、図６（ｃ）が先端側正面図である。図７は、本実施の形態のキャップ部材の詳細図であり、図７（ａ）が上面図であり、図７（ｂ）が開口側背面図であり、図７（ｃ）が側面図であり、図７（ｄ）が先端側正面図である。
【００１８】
図１乃至図７に示すように、本実施の形態におけるキャップ部材付き筆記具１０は、筆記要素２０と、先端部３１において筆記要素２０を突出状態に保持する軸筒部材３０と、筆記要素２０を覆うように軸筒部材３０の先端部３１に嵌合可能なキャップ部材４０と、を備えている。軸筒部材３０の先端部３１は、内筒部材３０ｉと一体的に構成されており（図３乃至図６参照）、当該内筒部材３０ｉが軸筒部材３０の外筒部材内に嵌入されている（図２参照）。
【００１９】
本実施の形態の筆記要素２０は、蛍光インキを用いて筆記を行うためのフェルト製のペン先である。本実施の形態の軸筒部材３０の先端部３１は、樹脂製であり、筆記要素２０を把持する把持先端部３２と、キャップ部材４０との嵌合機能を果たすアライメント用凸部３３と、キャップ部材４０の後端が当接するフランジ部３４と、が形成されている。キャップ部材４０も樹脂製であり、軸筒部材３０のアライメント用凸部３３と嵌合するアライメント用凹部４３と、軸筒部材３０の把持先端部３２と嵌合する第２嵌合部４２と、を有している。本実施の形態においては、把持先端部３２の長さは５．０ｍｍであり、アライメント用凸部３３の長さは４．９ｍｍであり、先端からリングビード部３２ｂまでの長さは２．４ｍｍである。
【００２０】
まず、本実施の形態のアライメント用凸部３３の、周方向に見て一方の半部について説明する。当該半部は、図１〜図７において下方側に位置する半部である。アライメント用凸部３３の当該半部（下方半部）においては、軸線方向に垂直な断面の形状が、先端において最大となっている（後方側で前端よりも小さい態様を含む（肉盗み等されていてもよい））。
本実施の形態では、アライメント用凸部３３の当該半部（下方半部）は、１１ｍｍの断面直径を有する円筒形状（軸線方向に形状一定）を二等分割した形状を有している。
【００２１】
次に、本実施の形態のアライメント用凸部３３の、周方向に見て他方の半部について説明する。当該半部は、図１〜図７において上方側に位置する半部である。アライメント用凸部３３の当該半部（上方半部）においては、軸線方向に垂直な断面の形状が、先端よりも後方側において大きい箇所がある（後方側において膨出した箇所がある）。
【００２２】
本実施の形態では、アライメント用凸部３３の当該半部（上方半部）は、特に図３及び図６に示すように、軸線方向に見て先端から後方側へと３０°〜３５°程度の勾配（本実施の形態では、３３．８°）で登り上がる傾斜領域３３ｂを有している。当該傾斜領域３３ｂは、アライメント用凸部３３の一方の半部（下方半部）の周方向の両側からも滑らかに登り上がっている。図６に示すように、本実施の形態の傾斜領域３３ｂの頂上は、軸線から７．５ｍｍ（円筒形状半径（５．５ｍｍ）の１．３６倍）だけ離れた位置にある。
【００２３】
さらに、本実施の形態のアライメント用凸部３３の当該半部（上方半部）には、当該先端部３１の射出成形時の「ひけ」を防止するという観点から、及び／または、デザイン上の理由（美観上の理由）から、肉盗み部として、２個のスリット状切込部３３ｃが設けられている。
【００２４】
その他、アライメント用凸部３３の当該半部（上方半部）の先端の上方領域３３ｕは、傾斜領域３３ｂとの連続性をより滑らかにするべく、微少量だけ面取りがなされている（本実施の形態では、面取角度Ｒ＝０．６）。なお、このような面取りは、アライメント用凸部３３の下方半部（一方の半部）の先端にも設けられ得て、その場合には、軸線方向に垂直な断面の形状が、先端近傍において最大となる（後方側で当該前端近傍よりも小さい態様を含む（肉盗み等されていてもよい））。
【００２５】
次に、本実施の形態のアライメント用凹部４３の、周方向に見て一方の半部について説明する。当該半部は、図１〜図７において下方側に位置する半部であり、アライメント用凸部３３の一方の半部（下方半部）に対応する形状を有している。具体的には、１１ｍｍの断面直径を有する円筒形状（軸線方向に形状一定）を二等分割した形状に対して、微少量のクリアランス（本実施の形態では、約０．１ｍｍ）を加えた形状となっている。
【００２６】
次に、本実施の形態のアライメント用凹部４３の、周方向に見て他方の半部について説明する。当該半部は、図１〜図７において上方側に位置する半部であり、アライメント用凸部３３の他方の半部（上方半部）に対応する形状を有している。具体的には、特に図４、図５及び図７に示すように、傾斜領域３３ｂに対して、微少量のクリアランス（本実施の形態では、約０．１ｍｍ）を加えた形状となっている。もっとも、機能的に明らかな通り、２個のスリット状切込部３３ｃに対する対応付けは不要であり、そのような対応付けは特になされていない。
【００２７】
アライメント用凹部４３の開口面の形状は、図７（ｂ）に示すように、略長円状となっている。但し、当該長円形状は、筆記要素２０に対して非対称な配置関係となっている。
アライメント用凹部４３が前記のように形成されていることに伴って、キャップ部材４０の全体形状についても、特に図１乃至図３に示すように、一方の半部の形状と他方の半部の形状とで、筆記要素２０に対して非対称となっている。
【００２８】
また、本実施の形態では、筆記要素２０がインキを用いるフェルト製のペン先であることに対応して、軸筒部材３０の把持先端部３２とキャップ部材４０の第２嵌合部４２との間に、気密を維持するための気密構造として面嵌合領域Ｆが設けられている。その他、軸筒部材３０の把持先端部３２には、リングビート部３２ｂが設けられ、また、キャップ部材４０の第２嵌合部４２には、４カ所に突起部４２ｐが設けられている。これにより、キャップ部材４０の着脱の際、突起部４２ｐがリングビート部３２ｂを乗り越えることになり、使用者はその抵抗力をキャップ部材４０の着脱操作の手応えとして実感できる。
【００２９】
以上のような本実施の形態によれば、軸筒部材３０のアライメント用凸部３３が、周方向に見て一方の半部（下方半部）と他方の半部（上方半部）とで形状が異なっており、これに対応して、キャップ部材４０のアライメント用凹部４３も、周方向に見て一方の半部（下方半部）と他方の半部（上方半部）とで形状が異なっているため、キャップ部材嵌合時の姿勢状態は１通りに限定されている。このため、軸筒部材３０の装飾絵柄とキャップ部材４０の装飾絵柄とに連続性をもたせるデザインの幅が著しく広がる。
【００３０】
また、本実施の形態によれば、キャップ部材４０の形状も非対称となっているため、成功しない姿勢（アライメント）での嵌合を使用者が試みてしまう可能性が排除され、製品としての魅力が顕著に高い。
【００３１】
また、本実施の形態のような傾斜領域３３ｂが採用される場合、キャップ部材４０を周方向いずれの側にツイストしても、当該キャップ部材４０は、傾斜領域３３ｂの存在によって、滑らかに前方側に押し出されるように軸筒部材３０から離脱できるため、利便性が高い。
さらに、特許文献１のような長円形状の断面を有する製品と比較すると、傾斜領域３３ｂが一方側のみにしか設けられていないため、よりコンパクトであるという利点もある。
【００３２】
また、本実施の形態によれば、２個のスリット状切込部３３ｃが設けられていることにより、射出成形時の「ひけ」が防止されており、また、デザイン上のアクセントも付加されている。
【００３３】
なお、実際の寸法例としては、本件発明者による様々な試作品評価の結果、アライメント用凸部３３の一方の半部（下方半部）については、９〜１３ｍｍの範囲から選択される断面直径を有する円筒形状を二等分割した形状を有することが好ましく、アライメント用凸部３３の傾斜領域３３ｂの頂上が当該円筒形状の軸線から当該円筒形状の半径の１．２〜１．５倍だけ離れた位置にあることが好ましい。そのような条件が満たされる場合、十分な嵌合機能を発揮できることが確認されている。
【００３４】
続いて、図８は、本発明の他の実施の形態のキャップ部材付き筆記具の軸筒部材の先端部の拡大斜視図であり、図９は、図８の軸筒部材の先端部の側面図である。図８及び図９に示す本実施の形態では、図１乃至図７に示した実施の形態に対して、アライメント用凸部１３３の形態が異なっており、これに対応してキャップ部材のアライメント用凹部の形態も異なっている。
【００３５】
図８及び図９を参照しながら、本実施の形態のアライメント用凸部１３３の、周方向に見て一方の半部について説明する。当該半部は、図８及び図９において下方側に位置する半部である。アライメント用凸部１３３の当該半部（下方半部）は、１１ｍｍ（９〜１３ｍｍが好ましい）の断面最大幅を有する、切頭円錐形状を軸線に平行な平面で二分割した小さい方の形状を有している。すなわち、図１乃至図７に示した実施の形態において１１ｍｍの断面直径を有する円筒形状を二等分割した形状であったアライメント用凸部３３の一方の半部（下方半部）に、テーパを設けたような形態が採用されている。省スペースという観点から、軸線に対するテーパ面の傾斜角度は最大で５°程度であることが好ましい。
ここで、テーパ面は、図１０に示すように、曲面状のテーパ面によって形成されていてもよい。このような形状を一般化して表現すれば、軸線方向に垂直な断面の形状が先端または先端近傍（面取りを考慮した場合）よりも後方側において大きい箇所を有する回転体を軸線に平行な平面で二分割した小さい方の形状、または、当該回転体を軸線を通る平面で二等分割した一方の形状、と言うことができる。なお、これらの形状から肉盗み等された形状についても、これらの形状に含まれると解釈されるべきである。
【００３６】
次に、本実施の形態のアライメント用凸部１３３の、周方向に見て他方の半部について説明する。当該半部は、図１〜図７に示した実施の形態と略同様で、軸線方向に垂直な断面の形状が、先端よりも後方側において大きい箇所がある（後方側において膨出した箇所がある）。
すなわち、アライメント用凸部１３３の当該半部（上方半部）は、軸線方向に見て先端から後方側へと３０°〜３５°程度の勾配（本実施の形態では、３３．８°）で登り上がる傾斜領域１３３ｂを有しており、当該傾斜領域１３３ｂは、アライメント用凸部１３３の一方の半部（下方半部）の周方向の両側からも滑らかに登り上がっている。本実施の形態の傾斜領域１３３ｂの頂上は、軸線から７．５ｍｍ（下方半部の最大幅（５．５ｍｍ）の１．３６倍）だけ離れた位置にある。
【００３７】
さらに、本実施の形態のアライメント用凸部１３３の当該半部（上方半部）には、当該先端部の射出成形時の「ひけ」を防止するという観点から、及び／または、デザイン上の理由（美観上の理由）から、肉盗み部として、２個のスリット状切込部１３３ｃが設けられている。
【００３８】
その他、アライメント用凸部１３３の当該半部（上方半部）の先端の上方領域１３３ｕは、傾斜領域１３３ｂとの連続性をより滑らかにするべく、微少量だけ面取りがなされている（本実施の形態では、面取角度Ｒ＝０．６）。
【００３９】
次に、本実施の形態のキャップ部材のアライメント用凹部の、周方向に見て一方の半部は、１１ｍｍの断面最大幅を有する、切頭円錐形状を二分割した小さい方の形状に対して、微少量のクリアランス（本実施の形態では、約０．１ｍｍ）を加えた形状）となっている。
【００４０】
次に、本実施の形態のアライメント用凹部の、周方向に見て他方の半部は、アライメント用凸部１３３の他方の半部（下方半部）に対応する形状を有している。具体的には、傾斜領域１３３ｂに対して、微少量のクリアランス（本実施の形態では、約０．１ｍｍ）を加えた形状となっている。もっとも、機能的に明らかな通り、２個のスリット状切込部１３３ｃに対する対応付けは不要であり、そのような対応付けは特になされていない。
【００４１】
以上のような本実施の形態によっても、軸筒部材のアライメント用凸部１３３が、周方向に見て一方の半部（下方半部）と他方の半部（上方半部）とで形状が異なっており、これに対応して、キャップ部材のアライメント用凹部も、周方向に見て一方の半部（下方半部）と他方の半部（上方半部）とで形状が異なっているため、キャップ部材嵌合時の姿勢状態は１通りに限定されている。このため、軸筒部材の装飾絵柄とキャップ部材の装飾絵柄とに連続性をもたせるデザインの幅が著しく広がる。
また、本実施の形態によれば、キャップ部材の形状も非対称となるため、成功しない姿勢（アライメント）での嵌合を使用者が試みてしまう可能性が排除され、製品としての魅力が顕著に高い。
【００４２】
また、本実施の形態のような傾斜領域１３３ｂが採用される場合、キャップ部材を周方向いずれの側にツイストしても、当該キャップ部材は、傾斜領域１３３ｂの存在によって、滑らかに前方側に押し出されるように軸筒部材から離脱できるため、利便性が高い。
さらに、特許文献１のような長円形状の断面を有する製品と比較すると、傾斜領域１３３ｂが一方側のみにしか設けられていないため、よりコンパクトであるという利点もある。
【００４３】
また、本実施の形態によれば、２個のスリット状切込部１３３ｃが設けられていることにより、射出成形時の「ひけ」が防止されており、また、デザイン上のアクセントも付加されている。
【符号の説明】
【００４４】
１  筆記具用キャップ（特許文献１）
２  キャップ主体（特許文献１）
２−１  脚片（特許文献１）
２−２  小突起（特許文献１）
３  内キャップ（特許文献１）
３−１  基部（特許文献１）
３−２  リブ（特許文献１）
３−３  有底筒部（特許文献１）
３−４  凹入間隙（特許文献１）
３−５  突起（特許文献１）
３−６  底部（特許文献１）
４  軸先部（特許文献１）
１０  キャップ部材付き筆記具
２０  筆記要素（フェルト製のペン先）
３０  軸筒部材
３１  先端部
３２  把持先端部
３３  アライメント用凸部
３３ｂ  傾斜領域
３３ｃ  スリット状切込部
３３ｕ  面取り部
３４  フランジ部
４０  キャップ部材
４２  第２嵌合部
４３  アライメント用凹部
１３３、１３３’  アライメント用凸部
１３３ｂ  傾斜領域
１３３ｃ  スリット状切込部
１３３ｕ  面取り部
【図１】
0006744715.tif 000002
【図２】
0006744715.tif 000003
【図３】
0006744715.tif 000004
【図４】
0006744715.tif 000005
【図５】
0006744715.tif 000006
【図６】
0006744715.tif 000007
【図７】
0006744715.tif 000008
【図８】
0006744715.tif 000009
【図９】
0006744715.tif 000010
【図１０】
0006744715.tif 000011
【図１１】
0006744715.tif 000012
【図１２】
0006744715.tif 000013